(57)【特許請求の範囲】
【請求項１】
ガラスシートの第１の周縁領域を切除するためのプロセスにおいて、
（Ｉ）第１の主表面、前記第１の主表面の裏側の第２の主表面、中央厚Ｔｈ(Ｃ)を有する中央領域、それぞれの端面が前記第１の主表面と前記第２の主表面を連結している、上端面、下端面、第１の側端面及び第２の側端面を有し、前記第１の周縁領域が前記第１の側端面の縁端の近傍にある、ガラスシートを提供する工程、
（II）前記上端面の近傍において前記第１の主表面及び前記第２の主表面を拘束することにより、前記ガラスシートをあらかじめ定められた位置に配する工程、
（III）前記工程（II）の後、前記第１の側端面の近傍で、前記上端面から前記下端面にかけて、前記第１の側端面の縁端から距離Ｄ１において前記第１の主表面及び前記第２の主表面を拘束する工程、
（IV）前記工程（III）の後、前記第１の側端面の縁端から距離Ｄ２において、前記上端面の近傍から前記下端面の近傍まで延びる罫書き線を前記第１の主表面に形成する工程、ここで、Ｄ２＜Ｄ１である、
（Ｖ）前記第１の側端面の縁端から距離Ｄ３において、前記第１の主表面を前記第２の主表面に向けて押す工程、ここで、Ｄ３＜Ｄ２である、
（VI）前記工程（Ｖ）の後、前記第１の周縁領域の前記第２の主表面に複数の吸引カップを吸い付かせる工程、
（VII）前記罫書き線の裏側で前記第２の主表面を段鼻ストリップと接触させる工程、及び
（VIII）前記工程（VI）及び（VII）の後、前記第１の側端面の近傍において前記ガラスシートの前記第１の周縁領域が前記段鼻ストリップに対して曲り、前記罫書き線に沿って前記ガラスシートの前記中央領域から分離するように、前記吸引カップによって前記第２の主表面を前記第１の主表面から離れる方向に引っ張る工程、
を含むことを特徴とするプロセス。
【請求項２】
前記工程（Ｉ）において、提供されたままの前記ガラスシートの前記第１の周縁領域が、前記ガラスシートが室温において実質的に一様な温度を有し、外力を受けていない場合、前記上端面から前記下端面に向かう方向の反りを有することを特徴とする請求項１に記載のプロセス。
【請求項３】
前記工程（VI）において、前記第１の周縁領域の前記第２の表面への前記吸引カップの全ての前記吸付きが長くとも５秒で完了することを特徴とする請求項１に記載のプロセス。
【請求項４】
前記工程（III）において、前記第１の側端面の近傍で、前記第１の主表面及び前記第２の主表面が前記上端面から前記下端面にかけて前記第１の側端面の縁端から距離Ｄ１においてクランプによって確保されることを特徴とする請求項１に記載のプロセス。
【請求項５】
前記工程（VII）が前記工程（IV）に先行し、前記工程（IV）において、前記第１の主表面に対して押し、前記罫書き線を形成するため、機械式罫書きホイールが用いられることを特徴とする請求項１に記載のプロセス。
【請求項６】
前記工程（Ｉ）において、前記ガラスシートの前記中央厚Ｔｈ(Ｃ)が少なくとも４００μｍであることを特徴とする請求項１に記載のプロセス。
【請求項７】
前記工程（Ｖ）において、前記第１の主表面が前記第２の主表面に向かう方向に真直プッシングバーを用いて押されることを特徴とする請求項１に記載のプロセス。
【請求項８】
前記工程（Ｖ）において、前記真直プッシングバーが実質的に前記上端面から前記下端面まで伸びる高さを有することを特徴とする請求項７に記載のプロセス。
【請求項９】
前記ガラスシートの前記第２の主表面が前記吸引カップによって引っ張られている間、同時に、前記第１の主表面が前記真直プッシングバーによって押されていることを特徴とする請求項７に記載のプロセス。
【請求項１０】
第１の主表面、前記第１の主表面の裏側の第２の主表面、中央厚Ｔｈ(Ｃ)を有する中央領域、それぞれの端面が前記第１の主表面と前記第２の主表面を連結している、上端面、下端面、第１の側端面及び第２の側端面を有し、第１の周縁領域が前記第１の側端面の縁端の近傍にある、ガラスシートの前記第１の周縁領域を切除するための装置において、
（Ａ）前記上端面の近傍において前記第１の主表面及び前記第２の主表面を拘束することによって前記ガラスシートを垂直位置に配するために適合されたガラス懸垂装置、
（Ｂ）第１の側縁拘束クランプストリップを有する、前記第１の主表面の側に配置された第１の側縁拘束タワー及び、第２の側縁拘束クランプストリップを有する、前記第２の主表面の側に配置された第２の側縁拘束タワー、
−前記第１の側縁拘束クランプストリップと前記第２の側縁拘束クランプストリップの間隔は調節可能であり、前記第１の側端面の近傍で、前記上端面から前記下端面にかけて延びる前記第１の側端面の縁端から距離Ｄ１において前記第１の主表面及び前記第２の主表面を拘束するために適合される、
（Ｃ）前記第１の側端面の縁端から距離Ｄ２において、前記上端面の近傍から前記下端面の近傍まで延びる罫書き線を前記第１の主表面に形成するための、前記第１の主表面と接触したままの垂直運動に適合された、前記第１の側縁拘束タワーに装着された機械式罫書きホイール、ここで、Ｄ２＜Ｄ１である、
（Ｄ）前記第１の側端面の縁端から距離Ｄ３において、前記第１の主表面を前記第２の主表面に向けて押すために適合された真直垂直バー、ここで、Ｄ３＜Ｄ２である、
（Ｅ）前記第１の側端面の縁端から距離Ｄ３において前記第１の周縁領域の前記第２の主表面に吸い付けるために適合された複数の吸引カップ、
（Ｆ）前記第２の主表面と接触するために適合された、前記罫書き線の裏側の段鼻ストリップ、及び
（Ｇ）前記ガラスシートの前記第１の周縁領域が前記第１の側端面の近傍において前記段鼻ストリップに対して曲り、前記罫書き線に沿って前記ガラスシートの前記中央領域から分離するように、前記吸引カップによって前記第２の主表面を前記第１の主表面から離れる方向に引っ張るために適合された力印加器、
を備えることを特徴とする装置。
【請求項１１】
前記段鼻ストリップが前記ガラスシート以下のショアーＡ硬度を有することを特徴とする請求項１０に記載の装置。
【請求項１２】
前記段鼻ストリップが、前記罫書きホイールが前記ガラスシートの前記第１の主表面を前記段鼻ストリップに対して押しているときに前記段鼻ストリップが実質的に直線形のままでいるように実質的に硬質である、受座によって支持されることを特徴とする請求項１０に記載の装置。
【請求項１３】
ガラスシートの第１の周縁領域を切除するためのプロセスにおいて、
（Ｉ）第１の主表面、前記第１の主表面の裏側の第２の主表面、中央厚Ｔｈ(Ｃ)を有する中央領域、それぞれの端面が前記第１の主表面と前記第２の主表面を連結している、上端面、下端面、第１の側端面及び第２の側端面を有し、前記第１の周縁領域が前記第１の側端面の縁端の近傍にある、ガラスシートを提供する工程、
（II）前記上端面の近傍において前記第１の主表面及び前記第２の主表面を拘束することにより、前記ガラスシートを所定の位置に配する工程、
（III）前記工程（II）の後、前記第１の側端面の近傍で、前記上端面から前記下端面にかけて、前記第１の側端面の縁端から距離Ｄ１において前記第１の主表面及び前記第２の主表面を拘束する工程、
（IV）前記工程（III）の後、前記第１の側端面の縁端から距離Ｄ２において、前記上端面の近傍から前記下端面の近傍まで延びる罫書き線を前記第１の主表面に形成する工程、ここで、Ｄ２＜Ｄ１である、
（Ｖ）前記罫書き線の裏側で前記第２の主表面を段鼻ストリップと接触させる工程、及び
（VI）前記工程（Ｖ）の後、前記第１の側端面の近傍において前記ガラスシートの前記第１の周縁領域が前記段鼻ストリップに対して曲り、前記罫書き線に沿って前記ガラスシートの前記中央領域から分離するように、前記第１の側端面の縁端から距離Ｄ３において前記第１の主表面を前記第２の主表面に向けて押す工程、ここで、Ｄ３＜Ｄ２である、
を含むことを特徴とするプロセス。
【請求項１４】
前記工程（II）〜前記工程（VI）の間、前記ガラスシートが実質的に垂直であることを特徴とする請求項１３に記載のプロセス。
【請求項１５】
第１の主表面、前記第１の主表面の裏側の第２の主表面、中央厚Ｔｈ(Ｃ)を有する中央領域、それぞれの端面が前記第１の主表面と前記第２の主表面を連結している、上端面、下端面、第１の側端面及び第２の側端面を有し、第１の周縁領域が前記第１の側端面の縁端の近傍にある、ガラスシートの前記第１の周縁領域を切除するための装置において、
（Ａ）前記上端面の近傍において前記第１の主表面及び前記第２の主表面を拘束することによって前記ガラスシートを垂直位置に配するために適合されたガラス懸垂装置、
（Ｂ）第１の側縁拘束クランプストリップを有する、前記第１の主表面の側に配置された第１の側縁拘束タワー及び、第２の側縁拘束クランプストリップを有する、前記第２の主表面の側に配置された第２の側縁拘束タワー、
−前記第１の側縁拘束クランプストリップと前記第２の側縁拘束クランプストリップの間隔は調節可能であり、前記上端面から前記下端面まで、前記第１の側端面の縁端から距離Ｄ１において前記第１の側端面の近傍で前記第１の主表面及び前記第２の主表面を拘束するために適合される、
（Ｃ）前記第１の側端面の縁端から距離Ｄ２において、前記上端面の近傍から前記下端面の近傍まで延びる罫書き線を前記第１の主表面に形成するための、前記第１の主表面と接触したままの垂直運動に適合された、前記第１の側縁拘束タワーに装着された機械式罫書きホイール、ここで、Ｄ２＜Ｄ１である、
（Ｄ）前記第１の側端面の縁端から距離Ｄ３において、前記第１の主表面を前記第２の主表面に向けて押すために適合された真直垂直バー、ここで、Ｄ３＜Ｄ２である、及び
（Ｅ）前記第２の主表面と接触するために適合された、前記罫書き線の裏側の段鼻ストリップ、
を備えることを特徴とする装置。
【発明の詳細な説明】
【関連出願の説明】
【０００１】
本出願は、いずれも名称を「ガラスシートの周縁領域を切除するための方法及び装置(METHOD AND APPARATUS FOR REMOVING PERIPHERAL PORTION OF A GLASS SHIEET)」とする、２０１１年８月１２日に出願された米国仮特許出願第６１/５２２９３７号及び２０１１年１１月３０日に出願された米国特許出願第１３/３０７５９２号の優先権を主張する。上記特許出願の明細書の内容はそれぞれの全体が本明細書に参照として含められる。
【技術分野】
【０００２】
本発明はガラスシートの周縁仕上げのための方法及び装置に関する。特に、本発明はガラスシートの周縁領域を切除するための方法及び装置に関する。本発明は、例えば、ディスプレイ用ガラス基板として用いるためにダウンドロープロセスで形成されたガラスシートのビード領域の切除に有用である。
【背景技術】
【０００３】
薄ガラスシートは、液晶ディスプレイ（ＬＣＤ）、有機発光ダイオード（ＯＬＥＤ）ディスプレイ、太陽電池のような、多くの光デバイス、電子デバイス、光電子デバイスにおいて、半導体デバイス基板、カラーフィルタ基板、カバーシート、等として用いられている。厚さが数μｍから数ｍｍの、薄ガラスシートは、フロートプロセス、フュージョンダウンドロープロセス（米国ニューヨーク州コーニング(Corning)のコーニング社(Corning Incorporated)によって開拓された方法）、スロットダウンドロープロセス、等のような、多くの方法によって作製することができる。
【０００４】
薄ガラスシートの用途の多くにおいては、ガラスシートが、（ｉ）基本的に、かき傷、粒子及びその他の欠陥がない清浄な表面品質、（ii）高い厚さ一様性、（iii）小さい表面粗さ及び表面うねり、を有することが極めて望ましい。この目的のため、ガラスシートの作製のための形成プロセスにおいては、一般に表面が固体の形成されたままのガラスシートの主表面の中央領域への直接接触は避けられる。代わりに、ガラスシートの周縁領域だけが、エッジロール、ピンチロール、エッジガイドロール、等のような固体表面との直接接触を受けていた。したがって、フュージョンドロープロセスまたはスロットダウンドロープロセスのドロー下端領域におけるように、形成装置から直接に得られる形成されたままのガラスシートの両側の、時に「ビード」と呼ばれる、周縁領域は主表面の中央領域よりも低い表面品質を有する傾向がある。さらに、用いられる特定の形成装置に依存して、周縁領域は中央領域とは異なる厚さ及び周縁領域よりかなり大きい厚さ変動を有する傾向がある。
【０００５】
歩留、歩留一貫性並びにプロセス及び装置のコストが異なる、様々なガラスシートビード切除技術がこれまでに用いられ、また提案されている。
【０００６】
ディスプレイ市場では、フレキシビリティが高いガラスシート、すなわち、シート幅及び／またはシート長が大きい、及び／または厚さが非常に小さい、ガラスシートへの要求が高まり続けている。本発明の発明者等は、フレキシビリティが高いガラスシートについては、ビード切除がガラスシート製造プロセスにおける重大な課題であり、総合歩留のボトルネックであることを見いだした。
【０００７】
すなわち、フレキシビリティが比較的低いガラスシートに対して許容されるビード切除プロセスは、フレキシビリティがかなり高いガラスシートに対しては許容され得ない。
【０００８】
したがって、フレキシビリティが高い、及びまたは低い、ガラスシートに対して許容できる能力をもつ安定で確実なガラスシートビード切除プロセスが真に必要とされている。本発明は上記及びその他の要求を満たす。
【発明の概要】
【発明が解決しようとする課題】
【０００９】
本発明の課題は、フレキシビリティが高いガラスシートに対して許容できる能力をもつ安定で確実なガラスシートビード切除プロセスを提供することにある。
【課題を解決するための手段】
【００１０】
本発明のいくつかの態様が本明細書に開示される。これらの態様が相互に重なり合うことがあることもないこともあり得ることは当然である。すなわち、１つの態様の一部が別の態様の範囲内に入ることが、またその逆も、あり得る。
【００１１】
それぞれの態様は、１つ以上の特定の実施形態を含むことができる、多くの実施形態によって説明される。これらの実施形態が相互に重なり合うことがあることもないこともあり得ることは当然である。すなわち、１つの実施形態、またはその特定の実施形態が、別の実施形態、またはその特定の実施形態の範囲内に入ることが、またその逆が、あることもないこともあり得る。
【００１２】
したがって、本開示の第１の態様はガラスシートの第１の周縁領域を切除するための、
（Ｉ）第１の主表面、第１の主表面の裏側の第２の主表面、中央厚Ｔｈ(Ｃ)を有する中央領域、それぞれの端面が第１の主表面と第２の主表面を連結する、上端面、下端面、第１の側端面及び第２の側端面を有し、第１の周縁領域が第１の側端面の縁端の近傍にある、ガラスシートを提供する工程、
（II）上端面の近傍において第１の主表面及び第２の主表面を拘束することにより、ガラスシートをあらかじめ定められた位置に配する工程、
（III）工程（II）の後、上端面から下端面までの第１の側端面から距離Ｄ１において、第１の側端面の近傍で、第１の主表面及び第２の主表面を拘束する工程、
（IV）工程（III）の後、第１の側端面の縁端から距離Ｄ２において上端面の近傍から下端面の近傍まで延びる罫書き線を第１の主表面に形成する工程、ここで、Ｄ２＜Ｄ１である、
（Ｖ）第１の側端面の縁端から距離Ｄ３において、第１の主表面を第２の主表面に向けて押す工程、ここで、Ｄ３＜Ｄ２である、
（VI）工程（Ｖ）の後、第１の周縁領域の第２の主表面の複数の吸引カップを吸い付かせる工程、
（VII）罫書き線の裏側で第２の主表面を段鼻ストリップと接触させる工程、及び
（VIII）工程（VI）及び（VII）の後、第１の側端面の近傍においてガラスシートの第１の周縁領域が段鼻ストリップに対して曲り、罫書き線に沿ってガラスシートの中央領域から分離するように、吸引カップによって第２の主表面を第１の主表面から離れる方向に引っ張る工程、
を含むプロセスに関する。
【００１３】
本開示の第１の態様にしたがうプロセスのいくつかの実施形態では、工程（II）〜（VIII）の間、ガラスシートは実質的に垂直である。
【００１４】
本開示の第１の態様にしたがうプロセスのいくつかの実施形態にでは、工程（II）において、上端面の近傍においてガラスシートの第１の主表面及び第２の主表面は垂直懸垂装置によって拘束される。
【００１５】
本開示の第１の態様にしたがうプロセスのいくつかの実施形態では、工程（Ｉ）において、提供されたままのガラスシートの第１の周縁領域は、ガラスシートが室温において実質的に一様な温度を有し、外力を受けていない場合、上端面から下端面に向かう方向の反りを有する。
【００１６】
本開示の第１の態様にしたがうプロセスのいくつかの実施形態では、工程（Ｉ）において、提供されたままのガラスシートの第１の周縁領域は少なくとも第２の主表面の側の表面にうねりがある第１の区画及び第２の主表面の側の第１の区画に隣接する第２の区画を有し、工程（VI）の間、第１の周縁領域の、第１の区画ではなく、第２の区画に吸引カップが吸い付く。
【００１７】
本開示の第１の態様にしたがうプロセスのいくつかの実施形態にでは、工程（VI）において、第１の周縁領域の第２の主表面への全ての吸引カップの吸付きは長くとも５秒で完了される。
【００１８】
本開示の第１の態様にしたがうプロセスのいくつかの実施形態では、工程（II）において、上端面近傍の第１の主表面及び第２の主表面はクランプを用いることで懸垂装置に確保される。
【００１９】
本開示の第１の態様にしたがうプロセスのいくつかの実施形態では、工程（III）において、上端面近傍の第１の主表面及び第２の主表面は上端面から下端面まで第１の側端面の縁端から距離Ｄ１においてクランプによって確保される。
【００２０】
本開示の第１の態様にしたがうプロセスのいくつかの実施形態では、工程（VII）が工程（IV）に先行し、工程（IV）において、第１の主表面に押し付けて罫書き線を形成するために機械的罫書きホイールが用いられる。
【００２１】
本開示の第１の態様にしたがうプロセスのいくつかの実施形態では、工程（Ｉ）において、ガラスシートの中央厚Ｔｈ(Ｃ)は少なくとも４００μｍである。
【００２２】
本開示の第１の態様にしたがうプロセスのいくつかの実施形態では、工程（Ｉ）において、ガラスシートは少なくとも１０００ｍｍの高さを有する。
【００２３】
本開示の第１の態様にしたがうプロセスのいくつかの実施形態では、工程（Ｉ）において、ガラスシートは少なくとも１０００ｍｍの幅を有する。
【００２４】
本開示の第１の態様にしたがうプロセスのいくつかの実施形態では、ガラスシートはダウンドロープロセスによって作製される。
【００２５】
本開示の第１の態様にしたがうプロセスのいくつかの実施形態では、工程（IV）において、罫書き線はレーザビームを用いることで形成される。
【００２６】
本開示の第１の態様にしたがうプロセスのいくつかの実施形態では、５ｃｍ≦Ｄ１≦５０ｃｍである。
【００２７】
本開示の第１の態様にしたがうプロセスのいくつかの実施形態では、４ｃｍ≦Ｄ２≦４０ｃｍである。
【００２８】
本開示の第１の態様にしたがうプロセスのいくつかの実施形態では、０.５ｃｍ≦Ｄ３≦２０ｃｍである。
【００２９】
本開示の第１の態様にしたがうプロセスのいくつかの実施形態では、工程（Ｖ）において、第１の主表面は真直プッシングバーを用いて第２の主表面に向けて押される。
【００３０】
本開示の第１の態様にしたがうプロセスのいくつかの実施形態では、工程（Ｖ）において、真直プッシングバーは実質的に上端面から下端面まで延びる高さを有する。
【００３１】
本開示の第１の態様にしたがうプロセスのいくつかの実施形態では、工程（VIII）において、ガラスシートの第１の主表面はガラスシートの第２の主表面が吸引カップで引っ張られると同時に真直プッシングバーによって押される。
【００３２】
本開示の第１の態様にしたがうプロセスのいくつかの実施形態では、工程（II）における懸垂装置はガラス搬送装置の一部である。
【００３３】
本開示の第１の態様にしたがうプロセスのいくつかの実施形態では、工程（IV）が工程（VI）に先行する。
【００３４】
本開示の第１の態様にしたがうプロセスのいくつかの実施形態では、工程（VI）が工程（IV）に先行する。
【００３５】
本開示の第２の態様は、第１の主表面、第１の主表面の裏側の第２の主表面、中央厚Ｔｈ(Ｃ)を有する中央領域、それぞれの端面が第１の主表面と第２の主表面を連結する、上端面、下端面、第１の側端面及び第２の側端面を有し、第１の周縁領域が第１の側端面の縁端近傍にある、ガラスシートの第１の周縁領域を切除するための、
（Ａ）上端面の近傍において第１の主表面及び第２の主表面を拘束することによってガラスシートを垂直位置に配するために適合されたガラス懸垂装置、
（Ｂ）第１の側縁拘束クランプストリップを有する、第１の主表面の側に配置された第１の側縁拘束タワー及び、第２の側縁拘束クランプストリップを有する、第２の主表面の側に配置された第２の側縁拘束タワー、
−第１の側縁拘束クランプストリップと第２の側縁拘束クランプストリップの間隔は調節可能であり、上端面から下端面に延びる第１の側端面の縁端から距離Ｄ１において第１の側端面の近傍で第１の主表面及び第２の主表面を拘束するために適合される、
（Ｃ）第１の側端面の縁端から距離Ｄ２において、上端面の近傍から下端面の近傍まで延びる罫書き線を第１の主表面上に形成するための、第１の主表面と接触したままの垂直運動に適合された、第１の側縁拘束タワーに装着された機械式罫書きホイール、ここで、Ｄ２＜Ｄ１である、
（Ｄ）第１の主表面を第２の主表面に向けて押すために適合された真直垂直バー、
（Ｅ）第１の側端面の縁端から距離Ｄ３において第１の周縁領域の第２の主表面に吸い付かせるために適合された複数の吸引カップ、ここで、Ｄ３＜Ｄ２である、
（Ｆ）第２の主表面と接触するために適合された、罫書き線の裏側の段鼻ストリップ、及び
（Ｇ）第１の側端面の近傍においてガラスシートの第１の周縁領域が段鼻ストリップに対して曲り、罫書き線に沿ってガラスシートの中央領域から分離するように、吸引カップによって第２の主表面を第１の主表面から離れる方向に引っ張るために適合された力印加器、
を備える、装置に関する。
【００３６】
本開示の第２の態様にしたがう装置のいくつかの実施形態では、段鼻ストリップはガラスシート以下のショアーＡ硬度を有する。
【００３７】
本開示の第２の態様にしたがう装置のいくつかの実施形態では、段鼻ストリップは、罫書きホイールがガラスの第１の主表面を段鼻ストリップに対して押すときに段鼻ストリップが実質的に直線形のままでいるように十分に硬質な、受座によって支持される。
【００３８】
本開示の第２の態様にしたがう装置のいくつかの実施形態では、段鼻ストリップは、アルミニウム及びその合金、ステンレス鋼、及び、硬質ゴム及び硬質プラスチックから選ばれる材料を含む。
【００３９】
本開示の第３の態様は、ガラスシートの第１の周縁領域を切除するための、
（Ｉ）第１の主表面、第１の主表面の反対側の第２の主表面、中央厚Ｔｈ(Ｃ)を有する中央領域、それぞれの端面が第１の主表面と第２の主表面を連結する、上端面、下端面、第１の側端面及び第２の側端面を有し、第１の周縁領域は第１の側端面の縁端の近傍にある、ガラスシートを提供する工程、
（II）上端面の近傍において第１の主表面及び第２の主表面を拘束することにより、ガラスシートを所定の位置に配する工程、
（III）工程（II）の後、上端面から下端面までの第１の側端面から距離Ｄ１において、第１の側端面の近傍で、第１の主表面及び第２の主表面を拘束する工程、
（IV）工程（III）の後、第１の側端面の縁端から距離Ｄ２において、上端面の近傍から下端面の近傍まで延びる罫書き線を第１の主表面上に形成する工程、ここで、Ｄ２＜Ｄ１である、
（Ｖ）罫書き線の裏側で第２の主表面を段鼻ストリップと接触させる工程、及び
（VI）工程（Ｖ）の後、第１の側端面の近傍においてガラスシートの第１の周縁領域が段鼻ストリップに対して曲り、罫書き線に沿ってガラスシートの中央領域から分離するように、第１の側端面の縁端から距離Ｄ３において第１の主表面を第２の主表面に向けて押す工程、ここで、Ｄ３＜Ｄ２である、
を含むプロセスに関する。
【００４０】
本開示の第３の態様にしたがうプロセスのいくつかの実施形態では、工程（II）〜（VI）の間、ガラスシートは実質的に垂直である。
【００４１】
本開示の第３の態様にしたがうプロセスのいくつかの実施形態では、工程（II）において、上端面の近傍においてガラスシートの第１の主表面及び第２の主表面は垂直懸垂装置によって拘束される。
【００４２】
本開示の第３の態様にしたがうプロセスのいくつかの実施形態では、工程（Ｉ）において、提供されたままのガラスシートの第１の周縁領域は、ガラスシートが室温において実質的に一様な温度を有し、外力を受けていない場合、上端面から下端面に向かう方向の反りを有する。
【００４３】
本開示の第３の態様にしたがうプロセスのいくつかの実施形態では、工程（II）において、上端面近傍の第１の主表面及び第２の主表面はクランプ用いることによって懸垂装置に確保される。
【００４４】
本開示の第３の態様にしたがうプロセスのいくつかの実施形態では、工程（III）において、上端面近傍の第１の主表面及び第２の主表面は上端面から下端面まで延びる第１の側端面の縁端から距離Ｄ１においてクランプによって確保される。
【００４５】
本開示の第３の態様にしたがうプロセスのいくつかの実施形態では、工程（Ｖ）が工程（IV）に先行し、工程（IV）において、第１の主表面に押し付けて罫書き線を形成するために機械的罫書きホイールが用いられる。
【００４６】
本開示の第３の態様にしたがうプロセスのいくつかの実施形態では、工程（Ｉ）において、ガラスシートの中央厚Ｔｈ(Ｃ)は少なくとも３００μｍである。
【００４７】
本開示の第３の態様にしたがうプロセスのいくつかの実施形態では、工程（Ｉ）において、ガラスシートは少なくとも１０００ｍｍの高さを有する。
【００４８】
本開示の第３の態様にしたがうプロセスのいくつかの実施形態では、工程（Ｉ）において、ガラスシートは少なくとも１０００ｍｍの幅を有する。
【００４９】
本開示の第３の態様にしたがうプロセスのいくつかの実施形態では、ガラスシートはダウンドロープロセスによって作製される。
【００５０】
本開示の第３の態様にしたがうプロセスのいくつかの実施形態では、工程（IV）において、罫書き線はレーザビームを用いることで形成される。
【００５１】
本開示の第３の態様にしたがうプロセスのいくつかの実施形態では、５ｃｍ≦Ｄ１≦５０ｃｍである。
【００５２】
本開示の第３の態様にしたがうプロセスのいくつかの実施形態では、４ｃｍ≦Ｄ２≦４０ｃｍである。
【００５３】
本開示の第３の態様にしたがうプロセスのいくつかの実施形態では、０.５ｃｍ≦Ｄ３≦２０ｃｍである。
【００５４】
本開示の第３の態様にしたがうプロセスのいくつかの実施形態では、工程（VI）において、第１の主表面は上端面から下端面まで延びる真直プッシングバーを用いて第２の主表面に向けて押される。
【００５５】
本開示の第3の態様にしたがうプロセスのいくつかの実施形態では、工程（II）における懸垂装置はガラス搬送装置の一部である。
【００５６】
本開示の第４の態様は、第１の主表面、第１の主表面の裏側の第２の主表面、中央厚Ｔｈ(Ｃ)を有する中央領域、それぞれの端面が第１の主表面と第２の主表面を連結する、上端面、下端面、第１の側端面及び第２の側端面を有し、第１の周縁領域が第１の側端面の縁端近傍にある、ガラスシートの第１の周縁領域を切除するための、
（Ａ）上端面の近傍において第１の主表面及び第２の主表面を拘束することによってガラスシートを垂直位置に配するために適合されたガラス懸垂装置、
（Ｂ）第１の側縁拘束クランプストリップを有する、第１の主表面の側に配置された第１の側縁拘束タワー及び、第２の側縁拘束クランプストリップを有する、第２の主表面の側に配置された第２の側縁拘束タワー、
−第１の側縁拘束クランプストリップと第２の側縁拘束クランプストリップの間隔は調節可能であり、上端面から下端面まで、第１の側端面の縁端から距離Ｄ１において第１の側端面の近傍で第１の主表面及び第２の主表面を拘束するために適合される、
（Ｃ）第１の側端面の縁端から距離Ｄ２において、上端面の近傍から下端面の近傍まで延びる罫書き線を第１の主表面上に形成するための、第１の主表面と接触したままの垂直運動に適合された、第１の側縁拘束タワーに装着された機械式罫書きホイール、ここで、Ｄ２＜Ｄ１である、
（Ｄ）第１の主表面を第２の主表面に向けて押すために適合された真直垂直バー、及び
（Ｅ）第２の主表面と接触するために適合された、罫書き線の裏側の段鼻ストリップ、
を備える、装置に関する。
【００５７】
本開示の第４の態様にしたがう装置のいくつかの実施形態では、段鼻ストリップはガラスシート以下のショアーＡ硬度を有する。
【００５８】
本開示の第４の態様にしたがう装置のいくつかの実施形態では、段鼻ストリップは、罫書きホイールがガラスの第１の主表面を段鼻ストリップに対して押すときに段鼻ストリップが実質的に直線形のままでいるように十分に硬質な。受座によって支持される。
【００５９】
本開示の第４の態様にしたがう装置のいくつかの実施形態では、段鼻ストリップは、アルミニウム及びその合金、ステンレス鋼及び硬質ゴムから選ばれる材料を含む。
【００６０】
本開示の１つ以上の実施形態及び／または態様は以下の利点を有する。第１に、ガラスを第１の主表面から第２の主表面に押すために垂直プッシングバーを用いることにより、吸引カップ吸付き時間及びその変動が短縮及び低減され、この結果、歩留が高い、一層安定で確実な周縁領域切除プロセスが得られる。第２に、垂直プッシングバーで与えられる追加拘束により、プロセス及び装置は上端面から下端面までの反りにそれほど敏感ではなく、したがってフレキシビリティが高いガラスシートのハンドリングが可能である。第３に、プッシングバーの使用により、周縁領域切除中にガラスシートの周縁領域を保持するための吸引カップの必要を完全に排することができ、この結果、吸引カップを用いるプロセス及び装置に比較して、薄いガラス厚において驚くほどのかなり高い歩留を得ることができる。
【００６１】
本発明のさらなる特徴及び利点は以下の詳細な説明に述べられ、ある程度は、当業者にはその説明から容易に明らかであろうし、本明細書の記述及び添付される特許請求の範囲に、また添付図面にも、説明されるように本発明を実施することによって認められるであろう。
【００６２】
上述の全般的説明及び以下の詳細な説明が本発明の例示に過ぎず、特許請求されるような本発明の本質及び特質の理解への概要または枠組みの提供が目的とされていることは当然である。
【００６３】
添付図面は本発明のさらに深い理解を提供するために含められ、本明細書に組み入れられて本明細書の一部をなす。
【図面の簡単な説明】
【００６４】
【図１Ａ】図１Ａは、本開示にしたがう周辺領域切除を受けることができる、中央領域及び２つのビード領域を有するガラスシートの簡略な断面図である。
【図１Ｂ】図１Ｂは、本開示にしたがう周辺領域切除を受けることができる、中央領域及び２つのビード領域を有するガラスシートの簡略な前面図である。
【図２】図２は、ガラスシートの周縁領域を切除するために、プッシングバーによって補助される吸引カップを用いる、本開示の一実施形態にしたがう装置の略図である。
【図３】図３は、ガラスシートの周縁領域を切除するために、吸引カップ無しでプッシングバーを用いる、本開示の一実施形態にしたがう装置の略図である。
【図４】図４は、ガラスシートの周縁領域を切除するために、吸引カップだけを用いる、対照例の装置の略図である。
【図５】図５は、選択的ビード加熱前の、ビード領域を有するガラスシートにおける応力分布を示すグラフである。
【発明を実施するための形態】
【００６５】
上述したように、本開示のプロセス及び装置はガラスシートのビード領域の切除に特に有益であり、したがって、以降はビード領域切除の文脈において説明される。しかし、当業者は、本出願の明細書を読み、本明細書の教示の恩恵を有していれば、本開示のプロセス及び装置が、いかなるガラスシートの周縁領域も、ビードを有する領域であるか否かにかかわらず、切除するために用いられ得ることを容易に理解するはずである。例えば、本明細書に開示されるプロセス及び装置はビード領域のないガラスシートの寸法を変えるために用いることができる。
【００６６】
説明を簡便にするため、ガラスシートは２つの主表面、すなわち第１の主表面及び第２の主表面を有し、幅、長さ及び、第１の主表面から第２の主表面までの距離として定義される、厚さを有する、ガラス材料の板である。第１の主表面と第２の主表面は、４辺において、上端面、下端面、第１の側端面及び第２の側端面によって連結される。上端面、下端面、第１の側端面及び第２の側端面は実質的に平面とするかまたは湾曲面とすることができる。
【００６７】
説明を簡便にするため、本開示の様々な態様及び実施形態にしたがう様々なプロセスは、（Ｉ）,（II）,...,（VIII）、等と付番される。そうではないことが特に示されるかまたは文脈がそうではないことを示していない限り、それぞれの工程はいかなる順序でも実行され得る。
【００６８】
図１Ａはフュージョンダウンドロープロセスにより延伸下部において形成されたガラスシート１０１の、第１の主表面及び第２の主表面に実質的に垂直な平面によって切断された、断面図である。このガラスシート１０１は本開示の装置及び方法を用いて具合良く仕上げることができる。ガラスシート１０１は、第１の主表面１０３，第２の主表面１０５，及び、それぞれが第１の主表面１０３及び第２の主表面１０５をそれぞれ連結している、第１の主表面の中心線から最大の距離にある縁端を有する湾曲した第１の側端面１０４及び第１の主表面の中心線から最大の距離にある縁端を有する湾曲した第２の側端面１０４を有する。ガラスシート１０１は、実質的に一様な厚さＴｈ(Ｃ)を有する中央領域（ＣＲ）、ガラスシートの一方の縁端に湾曲した第１のビード面１０７及び湾曲した第２のビード面１０９を有する、第１の側端面１０４に対応し、第１の側端面１０４に隣接する、第１のビード領域ＢＤ１，及び、湾曲した第３のビード面１１１及び湾曲した第４のビード面１１３を有する、第２の側端面１１０に対応し、第２の側端面１１０に隣接する、第２のビード領域ＢＤ２を有する。中央領域における平坦化された第１の主表面１０３及び／または第２の主表面１０５に垂直な仮想平面によって切断されたときのその最大厚として定義される、第１のビード領域の最大厚はＴｈ(Ｂ１)である。第２のビード領域ＢＤ２は、Ｔｈ(Ｂ１)と実質的に同じかまたは異なり得る、最大厚Ｔｈ(Ｂ２)を有する。同様に、第１のビード領域ＢＤ１及び第２のビード領域ＢＤ２は同じかまたは異なる幅を有し得る。図１Ｂは、第１の主表面１０３から第２の主表面１０５への方向で見たときの、同じガラスの前面図を簡略に示す。
【００６９】
表面品質が高く、清浄な、ガラスシートの中央領域ＣＲは、時に品質領域と呼ばれる。通常、ガラス基板に基づく電子／光デバイスを製造するプロセスにおいて、半導体デバイスのような機能デバイス、その他の電子デバイス及び光デバイス、等は、第１のビード領域及び第２のビード領域が切除された後でしか、ガラスシートの主表面上に形成されない。両方の周縁領域の切除後、第１の主表面及び第２の主表面の一方または両方の品質領域ＣＲ上にトランジスタ等のような機能デバイスが搭載される前に、研削及び研磨のような、続いて洗浄及び乾燥による、エッジ仕上にかけることができる。
【００７０】
本明細書に用いられるように、ガラスシートの第１の周縁領域は、ガラスシートの残り部分から切除されることになる、第１の側端面近傍におけるガラスシートの領域である。ガラスシートの中央領域は通常、そのまま残されて、以降の用途に用いられることになる、ガラスシートの領域である。図１Ａ及び１Ｂを参照すれば、ガラスシート１０１の第１の周縁領域は第１のビード領域ＢＤ１に相当することが有利である。以下では、第１の周縁領域だけに関して本発明を説明する。しかし、本開示を読んで本開示からの恩恵を受けている当業者であれば、実際のガラスシート周縁領域仕上げプロセスにおいては、第１の周縁領域及び第２の周縁領域のいずれかまたはいずれもが、本開示の様々な態様及び実施形態にしたがう装置を用い、本開示のプロセスの様々な態様及び実施形態にしたがって処理され得ることを容易に理解するはずである。実際上、上端面及び下端面に隣接するガラスシートの周縁部分を、ガラスシートを９０°回して、第１の周縁領域と実質的に同じ態様で処理することも可能である。ガラスシートの複数の周縁領域のそのような処理は順次にまたは同時に実施することができる。いくつかの特に有利な実施形態において、同じガラスシートの第１の周縁領域及び第２の周縁領域は実質的に同時に、実質的に同期化された対称的な態様で、処理することができる。
【００７１】
工程（II）において、ガラスシート１０１は、重力加速度ベクトルが平坦化された第１の主表面１０３に実質的に垂直である実質的に水平な位置のような、または重力加速度ベクトルがガラスシート１０１のの第１の主表面１０３に実質的に平行である実質的に垂直であるような、あらかじめ定められた位置に配される。工程（II）から（VIII）までの全過程中、ガラスシートの位置は実質的に安定に、すなわち、重力加速度ベクトルと第１の主表面の間の角度が１０°より大きくは変わらず、いくつかの実施形態においては８°より大きく、いくつかの他の実施形態においては６°より大きく、いくつかの他の実施形態においては５°より大きく、いくつかの他の実施形態においては４°より大きく、いくつかの他の実施形態においては３°より大きく、いくつかの他の実施形態においては２°より大きく、変わらないことが極めて望ましい。あらかじめ定められた位置へのガラスシートの配置は、第１の主表面及び第２の主表面を上端面の近傍において懸垂装置に拘束することで実施されることが有利である。
【００７２】
フュージョンドロープロセス、フロートプロセスまたはスロットダウンドロープロセスのような実際のガラスシート製造プロセスで作製された、厚さが比較的薄い、比較的大寸のガラスシートは、ガラスシートが受けてきた特有の機械的及び／または熱的な履歴の結果としてガラスシート内に分布する様々なレベルの内部応力の存在により、ガラスシートが無重力環境において室温程度の実質的に一様な温度を有していれば、時に「反り」と呼ばれる、自然湾曲を示すであろう。例えば、一般的なフュージョンダウンドロープロセスにおいて、ガラスシートは、アイソパイプと呼ばれる形成装置のルートにおいて粘性ガラスリボンを、ガラスリボンを冷却しながら板引きして粘弾性状態にし、最終的に弾性状態にすることで、所望の幅及び厚さに形成される。ガラスリボンがダウンドローされている間、機械式ローラーが、ビードと呼ばれる、周縁領域に接触する。次いで、通常はビードを所定の場所に残したまま、個別のガラスシートが連続ガラスリボンから切り取られ、最後に室温程度まで冷却される。ガラスシートのガラス材料は、一方の側縁から他方の側縁にかけて、また上端から下端にかけて、若干異なる温度履歴を受けている。例えば、ガラスリボンのビード領域は通常他より厚く、したがって通常は、同じ冷却環境において、より薄い中央領域に比較して緩やかな速度で冷えるであろう。熱履歴が異なれば、ガラスシートが室温程度の実質的に一様な温度にあるときに、ガラス内に内部残留応力が生じる。
【００７３】
図５はフュージョンダウンドロープロセスで作製された一例のガラスシートの一部の応力分布プロファイルを示すグラフである。横軸にはガラスシートの中心線からの距離が示され、縦軸にはシートの上端からの距離が示されている。最右端のビードを含む周縁領域は３２２５ｐｓｉ（２.２２４×１０７Ｐａ）にもなる最も高い応力を示すが、中央領域の応力は実質的にゼロである。この残留応力分布プロファイルは、上述したように、時に反りと呼ばれる、ガラスシートの湾曲に強く影響し得る。反りは本質的に三次元的であり、上端面から垂直方向に、また第１の側端面から第２の側端面にかけて水平方向に存在するであろう。
【００７４】
ガラスシートが無重力環境において自然反りを示す場合、ガラスシートが重力場内で上端から吊り下げられれば、また内部応力に反作用する外部拘束が別途に課せられなければ、ガラスシートは通常、自然反りを示すであろう。ガラスシート内部の残留応力及びガラスシートの自然湾曲の存在は、ガラスシートが垂直位置に吊り下げられたときに、ビード領域のような周縁領域の切除を困難にする。本開示の方法及び装置は、以下にさらに詳細に、またさらに深く、説明される、理由のため、室温程度の実質的に一様な温度にあるときに無重力反りを通常は示すであろうようなガラスシートの周縁領域の切除に特に有利である。
【００７５】
ガラスシートが無重力環境において自然反りを示す場合、ガラスシートが重力場内で上端から吊り下げられれば、また内部応力に反作用する外部拘束が別途に課せられなければ、ガラスシートは通常、自然反りを示すであろう。ガラスシート内部の残留応力及びガラスシートの自然湾曲の存在は、ガラスシートが垂直位置に吊り下げられたときに、ビード領域のような周縁領域の切除を困難にする。本開示の方法及び装置は、以下にさらに詳細に、またさらに深く、説明される、理由のため、室温程度の実質的に一様な温度にあるときに無重力反りを通常は示すであろうようなガラスシートの周縁領域の切除に特に有利である。
【００７６】
フュージョンダウンドロー形成プロセスの文脈において上述したように、粘性状態におけるガラス材料の板引き作業を含むいかなるガラス形成プロセスにおいても、ガラスは通常、例えば周縁領域の両側を挟む一対のローラーによって縁端領域において拘束される。高温及び低ガラス粘度におけるガラスとローラーの間の直接接触の結果、ビード領域においてうねりのある表面の形成がおこるであろう。通常、ビード領域には変動する厚さプロファイルを有する傾向がある。例えば、図１Ａは、中央領域の厚さＴｈ(Ｃ)よりかなり大きい最大厚Ｔｈ(Ｂ１)及びＴｈ(Ｂ２)を有するビード領域ＢＤ１及びＢＤ２を示す。通常、うねりのある表面を有する領域と実質的に一様な厚さＴｈ(Ｃ)を有する品質中央領域の間には、エッジローラーとの直接接触がないことから実質的に平滑な表面を有するが、中央領域ほど一様ではない変動する厚さプロファイルを有する、中間領域が存在する。湾曲側端面１０４を有する領域、表面にうねりがある領域及び、実質的に平滑な表面及び変動する厚さプロファイルをもつ領域の組合せが、本開示にしたがうプロセス及び装置による切除を受ける第１の周縁領域を構成する。いくつかの特に有利な実施形態において、吸引カップは、漏れがなく、安定で確実な接触を確保し、吸引カップに対する吸付き完了時間を短縮するため、第１の区画、すなわち表面にうねりのある区画ではなく、第２の区画、すなわち表面が平滑な区画に、直接に吸い付く。
【００７７】
本開示の第１の態様にしたがうプロセスにおいては、工程（Ｖ）、すなわち第１の縁端面の縁端から、Ｄ３＜Ｄ２である、距離Ｄ３においてガラスシートの第１の主表面を第２の主表面に向けて押す工程、を含む結果、ガラスシートの第２の表面への吸引カップの吸付きが工程（Ｖ）の無いプロセスに比較して大きく有利になる。したがって、第１の周縁領域の第２の主表面への全ての吸引カップの吸付きは長くとも５秒内、いくつかの実施形態においては長くとも３秒内、いくつかの実施形態においては長くとも２秒内、いくつかの実施形態においては長くとも１秒内、いくつかの他の実施形態においては長くとも０.５秒内、いくつかの他の実施形態においては長くとも０.４秒内、いくつかの他の実施形態においては長くとも０.３秒内、に完了する。工程（Ｖ）が無いプロセスに比較して、本開示のプロセスはいくつかの実施形態において吸い付き完了時間を少なくとも１/４、いくつかの実施形態においては少なくとも１/３、いくつかの他の実施形態においては少なくとも１/２、短縮する。ガラスシート表面への吸引カップの吸付きは一般に、吸引カップをガラス表面に接触させ、続いて、吸引カップとガラスシート表面の間の、堅固で、安定で確実な吸付きを実施するため、工業用吸引カップで一般的であるように、吸引キャップの内部キャビティに真空を印加する工程を含む。ガラスシートの表面への吸引カップの、堅固で、安定で確実な吸付きにより、ガラスシートによるガラスシートへの張力印加が可能になるであろう。本明細書に用いられるように、吸付き完了時間は、第１の吸引カップが第２の主表面に触れた瞬間と全ての吸引カップが第２の主表面に確実に吸い付いた瞬間、例えば、全ての吸引カップのキャビティ内の内部空気圧が高くとも６０ｋＰａ、いくつかの実施形態においては高くとも５０ｋＰａ、いくつかの他の実施形態においては高くとも４０ｋＰａ、まで減じた瞬間の間の時間間隔として定義される。フレキシビリティが高い、すなわちＦＸＴＹ＝ＬＤ/Ｔｈ≧１０００を有する、ガラスシートに対して、吸引カップとのガラスシートの吸付きはプロセス安定性に対して重要なプロセスパラメータであり、極めて長くすることができる。ここで、ＦＸＴＹはフレキシビリティであり、ＬＤは、ガラスシートの、第１の側端面の縁端から第２の側端面の縁端までで測定した幅と上端面から下端面までで測定した高さの、大きい方のｍｍ単位の寸法であり、Ｔｈはガラスシート品質領域のｍｍ単位の厚さである。一般に、ガラスシートのフレキシビリティが高くなるほど、ガラスシートは面にかけて一層反るようになり、工程（Ｖ）が実施されなければ、ガラスシートに吸引カップが吸い付くに一層長くかかるようになるであろう。したがって、本開示のプロセスは、ＦＸＴＹ≧１０００のガラスシートのビード切除に特に有利であり、ＦＸＴＹ≧２０００の場合はさらに一層有利であり、ＦＸＴＹ≧３０００の場合はさらに一層有利であり、ＦＸＴＹ≧４０００の場合はさらに一層有利であり、ＦＸＴＹ≧５０００の場合はさらに一層有利であり、ＦＸＴＹ≧６０００の場合はさらに一層有利であり、ＦＸＴＹ≧７０００の場合はさらに一層有利であり、ＦＸＴＹ≧４０００の場合はさらに一層有利��あり、ＦＸＴＹ≧８０００の場合はさらに一層有利であり、ＦＸＴＹ≧９０００の場合はさらに一層有利であり、ＦＸＴＹ≧１００００の場合はさらに一層有利である。さらに、ある程度は、工程（Ｖ）を含め、工程（Ｖ）を実施することにより、本開示のプロセスは、ラン毎の吸引カップ吸付き完了時間の変動及びＦＸＴＹ値が１つのガラスシートからＦＸＴＹ値が様々な相異なるガラスシートまでの吸引カップ吸付き完了時間の変動を低減する。したがって、本開示のプロセスは広汎なガラスシート製品を大きなプロセスウインドウによって作製するために用いることができる。
【００７８】
本開示の第１の態様にしたがうプロセスのいくつかの実施形態では、工程（II）において、第１の主表面及び第２の主表面は上端面の近傍でクランプを用いることによって確保される。クランプは頭上ガラスシート搬送装置に取り付けることができる。クランプは周縁領域を切除するための本開示の装置内に移動する前にガラスシートと噛み合わせることができ、次いでガラスシートは周辺領域仕上げのための装置内に運ばれる。ガラスシートへの吸引カップの吸付きの前に、ガラスシートの上部を確保しているクランプはガラスシートの重力に対向する力を実質的に提供し、ガラスシートを垂直位置に懸垂するであろう。あるいは、ガラスシートの上部を確保するため、クランプの代わりに吸引カップを用いることができる。上端面近傍の、クランプ、吸引カップ、等によって確保される場所は第１の上端面の縁端から最小限の距離Ｄ０にある。
【００７９】
いくつかの実施形態では、工程（III）において、第１の主表面及び第２の主表面は第１の側端面の近傍で、上端面から下端面まで、第１の側端面の縁端から距離Ｄ１においてクランプ（あるいは吸引カップまたはその他の確保デバイス）によって確保される。いくつかの実施形態においては５ｃｍ≦Ｄ１≦５０ｃｍであり、いくつかの実施形態においては５ｃｍ≦Ｄ１≦４０ｃｍであり、いくつかの実施形態においては５ｃｍ≦Ｄ１≦３０ｃｍであり、いくつかの実施形態においては５ｃｍ≦Ｄ１≦２０ｃｍであり、いくつかの実施形態においては５ｃｍ≦Ｄ１≦１５ｃｍであり、いくつかの実施形態においては５ｃｍ≦Ｄ１≦１０ｃｍである。通常はＤ１≦Ｄ０である。
【００８０】
本開示の第１の態様のプロセスのいくつかの実施形態では、工程（VII）は工程（IV）に先行し、工程（IV）において、第１の主表面に押し付けて罫書き線を形成するために機械式罫書きホイールが用いられる。通常、ガラスシートの表面に罫書き線を形成するために機械式罫書きホイールが用いられる場合、ガラスシートの表面への十分な罫書きホイールの接触力及びガラスシートの第１の主表面上の一貫した連続罫書き線の形成を可能にするため、段鼻ストリップのような支持デバイスがガラスシートの裏側に必要である。あるいは、罫書き線はレーザプロセスにより、例えばＣＯ２レーザで走査し、続いて冷却ジェットでベントを形成することにより、形成することができる。レーザ罫書きが用いられる場合、罫書き線形成プロセスに裏当ては不必要になり、したがって工程（VII）が工程（IV）に先行する必要はない。
【００８１】
本開示の第１の態様及び第２の態様にしたがうプロセス及び装置は上述したようにフレキシビリティＦＸＴＹが高いガラスシートの仕上げに特に有利であるが、中心厚Ｔｈ(Ｃ)が少なくとも４００μｍ、いくつかの実施形態においては少なくとも５００μｍ、いくつかの実施形態においては少なくとも６００μｍ、いくつかの他の実施形態においては少なくとも７００μｍ、のガラスシートの仕上げに特に有利である。これは、ガラスシートのＴｈ(Ｃ)が４００μｍ未満の場合、第１の周縁領域及び第２の周縁領域に沿うガラスシートの反りが、吸引カップの吸付きが非常に困難になるほど大きくなり、周縁領域に吸い付いて周縁領域を保持するための吸引カップの使用が実用的でなくなり得るためである。
【００８２】
上で論じたように、第１の主表面を第２の主表面に向けて押す工程を含む工程（Ｖ）の存在により、本開示の第１の態様及び第２の態様にしたがうプロセス及び装置はフレキシビリティが高い大寸ガラスシートを仕上げることができる広いプロセスウインドウを有する。これは特に、ガラスシートの向きがかなりの反りを示し、第２の主表面への吸付きがかなり困難になり得る、垂直高さＨＴが大きいガラスシートに特に有利である。すなわち、本プロセス及び装置は少なくとも１０００ｍｍ、いくつかの実施形態においては少なくとも１２００ｍｍ、いくつかの他の実施形態においては少なくとも１５００ｍｍ、いくつかの他の実施形態においては少なくとも１８００ｍｍ、いくつかの他の実施形態においては少なくとも２０００ｍｍ、いくつかの他の実施形態においては少なくとも２５００ｍｍ、いくつかの他の実施形態においては少なくとも３０００ｍｍ、の高さを有するガラスシートに特に有利である。
【００８３】
同様に、本プロセス及び装置は第１の側端面の縁端から第２の側端面の縁端にかけて測定した幅ＷＤが大きいガラスシートに特に有利である。すなわち、本開示の第１の態様及び第２の態様にしたがうプロセス及び装置は少なくとも１０００ｍｍ、いくつかの実施形態においては少なくとも１２００ｍｍ、いくつかの他の実施形態においては少なくとも１５００ｍｍ、いくつかの他の実施形態においては少なくとも１８００ｍｍ、いくつかの他の実施形態においては少なくとも２０００ｍｍ、いくつかの他の実施形態においては少なくとも２５００ｍｍ、いくつかの他の実施形態においては少なくとも３０００ｍｍ、の幅を有するガラスシートの仕上げに特に有利である。
【００８４】
本開示のプロセス及び装置は、米国ニューヨーク州のコーニング社によって開拓されたフュージョンダウンドロープロセスのような、ダウンドロープロセスによって作製されたガラスシートの仕上げに特に有利である。これは、ダウンドロープロセスにおいては、アイソパイプ及びスロットのような。形成装置の下側のガラスリボンには、作製されたガラスシート内にかなりの残留熱応力をもたらす温度勾配プロファイルを受け、後の仕上げ工程におけるその切除を不可能にする周縁領域の反りを生じる傾向があるためである。
【００８５】
本開示の第１の態様及び第２の態様にしたがうプロセス及び装置のいくつかの実施形態において、罫書き線から第１の側端面の縁端までの距離はＤ２であり、ここで、４ｃｍ≦Ｄ２≦４０ｃｍ、いくつかの実施形態においては４ｃｍ≦Ｄ２≦ｃｍ、いくつかの実施形態においては４ｃｍ≦Ｄ２≦３０ｃｍ、いくつかの実施形態においては４ｃｍ≦Ｄ２≦２０ｃｍ、いくつかの実施形態においては４ｃｍ≦Ｄ２≦１５ｃｍ、いくつかの他の実施形態においては４ｃｍ≦Ｄ２≦１０ｃｍ、であることが有利である。一般に、罫書き線は、ガラスシートの厚さがガラスシートの中央領域の厚さと実質的に同じであり、したがってプロセスの終わりにおいて厚さがエッジからエッジまで実質的に一様である切断時ガラスシートが得られる場所に形成されることが望ましい。
【００８６】
工程（Ｖ）において、プッシングバーがガラスシートの第１の主表面を第２の主表面に向けて押す。押す場所は罫書き線と第１の側端面の縁端の間、すなわち、Ｄ３＜Ｄ２とすべきである。いくつかの実施形態においては０.５ｃｍ≦Ｄ３≦２０ｃｍ、いくつかの実施形態においては０.５ｃｍ≦Ｄ３≦１５ｃｍ、いくつかの実施形態においては０.５ｃｍ≦Ｄ３≦１０ｃｍ、いくつかの実施形態においては０.５ｃｍ≦Ｄ３≦８ｃｍ、いくつかの実施形態においては０.５ｃｍ≦Ｄ３≦５ｃｍ、いくつかの他の実施形態においては０.５ｃｍ≦Ｄ３≦３ｃｍ、である。
【００８７】
工程（Ｖ）における押しは、実質的に上端面から下端面まで延びる真直プッシングバーを用いて行われることが有利であり得る。あるいは、複数の真直バーが用いられ、第１の主表面に接触して第１の主表面を同時に押すように、同期態様ではたらく。バーは、その形状が押すプロセス中に実質的に変化しないように、堅く、剛性が高いことが望ましい。したがって、第１の主表面に直接接触するバーの材料は、アルミニウム、ステンレス鋼、等のような金属、あるいは、堅く、耐久性のあるプラスチックまたは、硬質シリコーンゴム材料のような、ゴムから選ぶことができる。あるいはさらに、押しを実施するため、空気のような、流体の長く、細いジェットを上述したような周縁領域の所望の場所に向けることができる。
【００８８】
いくつかの特に有利な実施形態において、本開示の第１の態様にしたがうプロセスの間、工程（VII）において、ガラスシートの第２の主表面が吸引カップで引っ張られているときに、第１の主表面は同時に直バーで押されている。この実施形態において、ガラスシートのエッジ領域は吸引カップ及びプッシングバーによって確実かつ堅固に拘束され、この結果、罫書き線に沿う品質領域からの周辺領域の一貫した分離が得られる。
【００８９】
本開示の第１の態様のプロセスにおいて、いくつかの実施形態では、工程（VI）は工程（IV）に先行することができる。すなわち、ガラスシートの第２の主表面への吸引カップの吸付きの後に、機械式罫書きホイールを用いる機械式罫書きによるか、または走査レーザビームを用いるレーザ罫書きにより、罫書き線が形成される。これらの実施形態において、吸引カップは、工程（IV）において実質的に平坦な第１の主表面を得て、罫書き線形成を容易にするため、工程（IV）の間ガラスシートに引張力を印加することができる。他の実施形態では、工程（IV）は工程（VI）に先行することができる。すなわち、ガラスシートの第１の主表面に罫書き線が既に形成されていない限り、吸引カップがガラスシートの第２の主表面に吸い付けられることはない。工程（III）において、ガラスシートの第１の側端面の近傍において第１の主表面及び第２の主表面は、例えばクランプによって、確保されるから、機械式罫書きホイールが用いられる場合であっても、吸引カップが先に吸い付いていなくとも罫書き線を形成することができる。
【００９０】
本開示の第２の態様は本開示の第１の態様にしたがうプロセスのいくつかの実施形態を実施するための装置である。装置は、
（Ａ）上端面の近傍において第１の主表面及び第２の主表面を拘束することによってガラスシートを垂直位置に配するために適合されたガラス懸垂装置、
（Ｂ）第１の側縁拘束クランプストリップを有する、第１の主表面の側に配置された第１の側縁拘束タワー及び、第２の側縁拘束クランプストリップを有する、第２の主表面の側に配置された第２の側縁拘束タワー、
−第１の側縁拘束クランプストリップと第２の側縁拘束クランプストリップの間隔は調節可能であり、上端面から下端面に延びる第１の側端面の縁端から距離Ｄ１において第１の側端面の近傍で第１の主表面及び第２の主表面を拘束するために適合される、
（Ｃ）第１の側端面の縁端から距離Ｄ２において、上端面の近傍から下端面の近傍まで延びる罫書き線を第１の主表面上に形成するための、第１の主表面と接触したままの垂直運動に適合された、第１の側縁拘束タワーに装着された機械式罫書きホイール、ここで、Ｄ２＜Ｄ１である、
（Ｄ）第１の主表面を第２の主表面に向けて押すために適合された真直垂直バー、
（Ｅ）第１の側端面の縁端から距離Ｄ３において第１の周縁領域の第２の主表面に吸い付かせるために適合された複数の吸引カップ、ここで、Ｄ３＜Ｄ２である、
（Ｆ）第２の主表面と接触するために適合された、罫書き線の裏側の段鼻ストリップ、及び
（Ｇ）第１の側端面の近傍においてガラスシートの第１の周縁領域が段鼻ストリップに対して曲り、罫書き線に沿ってガラスシートの中央領域から分離するように、吸引カップによって第２の主表面を第１の主表面から離れる方向に引っ張るために適合された力印加器、
を備えることが有利である。
【００９１】
本開示の第２の態様にしたがう装置のいくつかの有利な実施形態において、段鼻ストリップはガラスシート以下のショアーＡ硬度を有する。段鼻ストリップの高い硬度により、機械式罫書きホイールによって押されたときのガラスシートの過剰な局所変形が防止され、よって罫書きホイールのガラスシートの表面との接触が失われず、よってベントが消失せず、ベント深さが一貫している、一貫した罫書き線形成が可能になる。上端面の近傍から下端面の近傍まで延びる、ベント深さが実質的に一様な連続罫書き線は、鋭いエッジをつくらず、過剰なガラスチップを発生させず、真直ではないエッジを生じさせず、その他の望ましくない構造／特徴を生じさせずに、工程（VIII）において周縁領域を分離するために有益である。この目的のため、ガラスシートの第１の主表面に直接接触する段鼻ストリップの材料は、アルミニウム及びその合金、ステンレス鋼のような金属、所望の温度性能及び硬度を有する、硬質のプラスチック及びゴム材料から選ぶことができる。さらに、段鼻ストリップは、罫書きホイールがガラスシートの第１の主表面を段鼻ストリップに対して押しているときに段鼻ストリップが実質的に直線形のままでいるように十分に硬質な受座によって支持される。
【００９２】
本開示の第３の態様はガラスシートの第１の周縁領域を切除するための、
（Ｉ）第１の主表面、第１の主表面の裏側の第２の主表面、中央厚Ｔｈ(Ｃ)を有する中央領域、それぞれの端面が第１の主表面と第２の主表面を連結している、上端面、下端面、第１の側端面及び第２の側端面を有し、第１の周縁領域が第１の側端面の縁端の近傍にある、ガラスシートを提供する工程、
（II）上端面の近傍において第１の主表面及び第２の主表面を拘束することにより、ガラスシートを所定の位置に配する工程、
（III）工程（II）の後、第１の側端面の近傍で、上端面から下端面までの第１の側端面の縁端から距離Ｄ１において第１の主表面及び第２の主表面を拘束する工程、
（IV）工程（III）の後、第１の側端面の縁端から距離Ｄ２において、上端面の近傍から下端面の近傍まで延びる罫書き線を第１の主表面上に形成する工程、ここで、Ｄ２＜Ｄ１である、
（Ｖ）罫書き線の裏側で第２の主表面を段鼻ストリップと接触させる工程、及び
（VI）工程（Ｖ）の後、第１の側端面の近傍においてガラスシートの第１の周縁領域が段鼻ストリップに対して曲り、罫書き線に沿ってガラスシートの中央領域から分離するように、第１の側端面の縁端から距離Ｄ３において第１の主表面を第２の主表面に向けて押す工程、ここで、Ｄ３＜Ｄ２である、
を含む別のプロセスである。
【００９３】
本開示の第１の態様と比較すると、本開示の第３の態様にしたがうプロセスは、吸引カップをガラスシートに吸い付かせる工程を含んでいない点が異なる。本開示の第３の態様にしたがうプロセスの他の工程は全て、必要な変更を加えて、第１の態様にしたがうプロセスの工程の上記説明から導かれる。
【００９４】
本開示の第３の態様のプロセスにしたがえば、罫書き線は工程（Ｖ）において、例えば、第１の態様に関して上述した機械式罫書きまたはレーザ罫書きによって、形成される。工程（IV）は、周縁領域が前もって形成された罫書き線に沿ってガラスシートの中央品質領域から折り取られるように、ガラスシートのエッジ部分が第１の主表面から第２の主表面に向かう方向にプッシングバーによって押される、工程（VI）よりも前に行われることが有利である。
【００９５】
工程（VI）には第二の主表面を支持する段鼻ストリップの存在が必要である。したがって、工程（VI）は工程（Ｖ）と同時に、または工程（Ｖ）の後に、実施される。
【００９６】
本開示の第１の態様のプロセスと同様に、第３の態様のプロセスは、ガラスシートが室温において実質的に一様な温度を有し、外力を受けていないときに上端面から下端面に向かう方向に反りが生じている、ガラスシートの処理に特に有利である。上述したように、そのような反りが生じているガラスシートは、例えば、フュージョンドロープロセスまたはスロットダウンドロープロセス、あるいは他のプロセスで作成され得る。
【００９７】
本開示の第４の態様は本開示の第３の態様にしたがういくつかの実施形態を実施するための、
（Ａ）上端面の近傍において第１の主表面及び第２の主表面を拘束することによってガラスシートを垂直位置に配するために適合されたガラス懸垂装置、
（Ｂ）第１の側縁拘束クランプストリップを有する、第１の主表面の側に配置された第１の側縁拘束タワー及び、第２の側縁拘束クランプストリップを有する、第２の主表面の側に配置された第２の側縁拘束タワー、
−第１の側縁拘束クランプストリップと第２の側縁拘束クランプストリップの間隔は調節可能であり、上端面から下端面まで、第１の側端面の縁端から距離Ｄ１において第１の側端面の近傍で第１の主表面及び第２の主表面を拘束するために適合される、
（Ｃ）第１の側端面の縁端から距離Ｄ２において、上端面の近傍から下端面の近傍まで延びる罫書き線を第１の主表面上に形成するための、第１の主表面と接触したままの垂直運動に適合された、第１の側縁拘束タワーに装着された機械式罫書きホイール、ここで、Ｄ２＜Ｄ１である、
（Ｄ）第１の主表面を第２の主表面に向けて押すために適合された真直垂直バー、及び
（Ｅ）第２の主表面と接触するために適合された、罫書き線の裏側の段鼻ストリップ、
を備える装置である。
【００９８】
本開示の第２の態様と比較すると、本開示の第４の態様の装置は吸引カップを備えていない。本開示の第４の態様の装置の他のコンポーネントは全て、必要な変更を加えて、第１及び第２の態様の上記の説明から得られる。
【００９９】
意外にも、本開示の第３及び第４の態様にしたがうプロセス及び装置は、中央領域厚Ｔｈ(Ｃ)が４００μｍより薄いガラスシートのビード切除に対して、第１及び第２の態様にしたがうプロセス及び装置よりも一層優れて有利であることがわかった。例えば、Ｔｈ(Ｃ)が３００μｍのガラスシートに対し、第４の態様にしたがう装置を用いる第３の態様にしたがうプロセスの歩留は６１％であるが、第２の態様にしたがう装置を用いる第１の態様にしたがうプロセスの歩留は４６％に過ぎず、以下に説明される対照実施例にしたがうプロセスの歩留は３０％でしかないことが、実験により示された。したがって、本開示の第３及び第４の態様にしたがうプロセス及び装置は、いくつかの実施形態において、中央領域厚Ｔｈ(Ｃ)が、３５０μｍ、４００μｍ、５００μｍ、６００μｍ、７００μｍであるか、さらに厚いような、少なくとも３００μｍのガラスシートの周縁領域切除に対して用いられることが有利である。
【０１００】
本発明は以下の非限定的実施例によってさらに説明される。
【実施例】
【０１０１】
実施例１（本発明）
図２は本開示の第１及び第２の態様のいくつかのの実施形態にしたがう動作におけるガラスシートビード切除装置２００の一端側の断面を簡略に示す。図示される端に実質的に対称な他端側は示されていない。図１に示されるガラスシートは垂直ガラスシート懸垂コンベアのような懸垂装置（図示せず）に取り付けられたクランプの２つのクランプアーム２０１，２０３によって確保されている。通常、ガラスシートは初めに周辺領域切除装置２００の外部でクランプアーム２０１，２０３に挟み付けられ、次いでコンベアによって装置２００内に移動される。周辺領域切除装置２００の内部において、第１の側縁拘束クランプストリップ２０４を有する第１の側縁拘束タワー２０５がガラスシートの第１の主表面１０３の側に配置され、第２の側縁拘束クランプストリップ２０６を有する第２の側縁拘束タワー２０７がガラスシートの第１の主表面１０５の側に配置に配置される。すなわち、動作中に、ガラスシートが装置２００の内部に配置されると、第１の側縁拘束クランプストリップ２０４及び第２の側縁拘束クランプストリップ２０６が相互に向けて移動し、ガラスシートを挟み込んで、ガラスシートのビード領域に近い領域を拘束し、ガラスシートを確保して以降の工程を可能にする。ガラスシートが拘束タワーによって両側でクランプされてしまうと（本図では一方の側しか示されていない）、第１の側縁拘束タワー２０５に取り付けられた罫書きホイール２０９が上端面の近傍の場所でガラスシートの第１の主表面１０３に触れるが、上端面のエッジラインそのものに直接触れることはない。第２の側縁拘束タワー２０７に装着され、上端面から下端面まで延びる、段鼻ストリップ２１１に裏当てされて、罫書きホイールは、ガラスシートの上から下まで罫書くことにより、上端面の近傍からから下端面の近傍まで延びる罫書き線を形成する。罫書きが完了すると、罫書きホイールは第１の主表面から引き戻される。次いで真直プッシングバー２１７がガラスシートの第１の主表面に向かう方向２１９に前進し、ガラスシートの周縁領域に接触して、周縁領域の第１の主表面をガラスシートの第２の主表面に向けて押す。同時に、（１つだけが図示されている）一連の吸引カップ２１３が第２の主表面１０５に向けて前進し、ガラスシートの周縁領域の第２の主表面の側に吸い付く。プッシングバー２１７と吸引カップ２１５の間の協同作業により、吸引カップのガラスシートの第２の主表面への吸付きを完了するための時間は、図４に示され、以下に説明される、対照実施例に比較して短縮される。吸引カップがガラスシートの第２の主表面に堅固に吸い付くと、次いでガラスシートの周縁領域が第１の主表面から第２の主表面に向かう方向に吸引カップによって引っ張られる。吸引カップの第２の主表面への吸付き完了後、プッシングバー２１７は、ガラスシートをそれ以上は押さずに、直ちに引き戻ることができ、あるいは、プッシングバー２１７は吸引カップとともにガラスシートを押し続けることができる。押しが閾レベルに達すると、ビード領域を含む、周縁領域が罫書き線に沿って分離する。その後、吸引カップはガラスシートの第２の主表面から外れて、切除された周辺領域を下側にあるガラスチャード(glass chard)入れに投下する。次いで拘束タワーの第１の拘束クランプストリップ２０４と第２の拘束クランプストリップ２０６は互いに離れる方向に移動し、残る品質領域の両面の領域を開放する。次いでガラスシートの品質領域は懸垂コンベアによって周縁領域切除装置２００から出て、エッジ仕上げ、洗浄、清浄化、等のような、次のプロセスステップに移動する。
【０１０２】
短縮された吸引カップ吸付き時間は、装置２００の一層高いスループット、さらに一貫したプロセス性能及び吸引カップ吸付き失敗による不良率の低下を意味する。この装置２００を用いた実験では、３００μｍ厚のガラスシートのビード切除処理において４６％の歩留が達成された。
【０１０３】
実施例２（本発明）
図３は本開示の第３及び第１の態様のいくつかの実施形態にしたがう動作におけるガラスシート周縁領域切除装置３００の一端側の断面を簡略に示す。対称である、他端側は示されていない。見てわかるように、図２の装置２００に比較して、装置３００は吸引カップ２１３を備えていない。この簡略化された装置は厚さＴｈ(Ｃ)が少なくとも４００μｍの比較的厚いガラスシートの周縁領域切除に有利に用いることができる。Ｔｈ(Ｃ)＜４００μｍの場合、罫書き線に沿う周縁領域の一貫した切除を達成するには、ガラスシートのビード領域をさらに拘束することが望ましい。
【０１０４】
この装置３００を用いた実験では、３００μｍ厚のガラスシートのビード切除処理において６１％の歩留が達成された。
【０１０５】
実施例３（対照）
図４は、対照実施例として、動作におけるガラスシート周縁領域切除装置４００の一端側の断面を簡略に示す。対称である、他端側は示されていない。見てわかるように、図２の装置２００に比較して、装置４００はプッシングバー２１７を備えていない。この簡略化された装置４００は厚さＴｈ(Ｃ)が、６００μｍ及び７００μｍのような、少なくとも５００μｍの比較的厚いガラスシートの周縁領域切除に用いることができるが、吸引カップ吸付き完了に必要な時間が長くなることから、ビード切除プロセスのサイクルタイムが上述した装置２００に必要なサイクルタイムより長い。
【０１０６】
この装置４００を用いた実験では、３００μｍ厚のガラスシートのビード切除処理において３０％の歩留が得られた。
【０１０７】
本発明の範囲及び精神を逸脱することなく本発明に様々な改変及び変更がなされ得ることが当業者には明らかであろう。したがって、本発明の改変及び変形が添付される特許請求項及びそれらの等価形態の範囲内に入れば、本発明はそのような改変及び変形を包含するとされる。
【符号の説明】
【０１０８】
１０１    ガラスシート
１０３，１０５    主表面
１０４，１１０    側端面
１０７，１０９，１１１，１１３    ビード面
２００，３００，４００    ガラスシートビード切除装置
２０１，２０３    クランプアーム
２０４，２０６    側縁拘束クランプストリップ
２０５，２０７    側縁拘束タワー
２０９    罫書きホイール
２１１    段鼻ストリップ
２１３    吸引カップ
２１７    プッシングバー
ＢＤ１，ＢＤ２    ビード領域
ＣＲ    中央領域
【図１Ａ】
0006054396.tif 000002
【図１Ｂ】
0006054396.tif 000003
【図２】
0006054396.tif 000004
【図３】
0006054396.tif 000005
【図４】
0006054396.tif 000006
【図５】
0006054396.tif 000007